(57)【要約】      （修正有）【課題】人差し指を延ばすことができ、強固な握持と制御のために指の正確な適合、快適さ、および、最適な位置を与える、人差し指パッド構造を有するグローブを提供する。【解決手段】グローブの前壁を形成する掌側外皮と、手空洞部を確定し、グローブの着用者の人差し指および親指と位置合わせするように構成される人差し指区域および親指区域２０を含む複数の指区域を備える指領域１０を形成するため、掌側外皮に結合されてグローブの後壁を形成する甲側外皮６と、人差し指区域と親指区域とに結合されるウェブと、甲側外皮６に固定される甲側内皮と、人差し指区域３８と掌区域３６とを備える掌側内皮であって、掌区域３６が掌側外皮に対して実質的に固定され、人差し指区域３８が、甲側外皮６に形成される指開口から延びて、甲側外皮の後壁側に固定される掌側内皮３４と、を備える。【選択図】図８
0003195549.tif 000002
【実用新案登録請求の範囲】
【請求項１】
ボールグローブであって、
前記グローブの前壁を形成する掌側外皮と、
手空洞部を確定するとともに、前記グローブの着用者の人差し指および親指とそれぞれ位置合わせするように構成される人差し指区域および親指区域を含む複数の指区域を備える指領域を形成するために、前記掌側外皮に結合されて前記グローブの後壁を形成する甲側外皮と、
前記人差し指区域と前記親指区域とに結合されるウェブと、
前記甲側外皮に固定される甲側内皮と、
人差し指区域と掌区域とを備える掌側内皮であって、前記掌区域が前記掌側外皮に対して実質的に固定されるとともに、前記掌側内皮の前記人差し指区域が、前記甲側外皮に形成される指開口から延びて、前記甲側外皮の後壁側に固定される、掌側内皮と、
を備えるボールグローブ。
【請求項２】
前記掌側内皮は、前記甲側外皮のそれぞれの指区域と位置合わせされる更なる指区域を更に備える請求項１に記載のボールグローブ。
【請求項３】
前記掌側内皮が１つの連続片である請求項１又は２に記載のボールグローブ。
【請求項４】
前記掌側内皮の前記人差し指区域は、前記甲側外皮の前記指領域に形成される指開口から延びる請求項１〜３のいずれか１項に記載のボールグローブ。
【請求項５】
前記甲側外皮の前記指領域に形成される前記指開口がスリット孔である請求項４に記載のボールグローブ。
【請求項６】
前記甲側外皮が前記親指区域から延びるストラップを更に備え、前記ストラップの先端縁および前記甲側外皮の前記指領域の基端縁が内部開口を画定し、前記人差し指区域の前記掌側内皮は、前記内部開口から延びて、前記甲側外皮の後壁側に固定される請求項１〜６のいずれか１項に記載のボールグローブ。
【請求項７】
前記甲側外皮が前記親指区域から延びるストラップを更に備え、前記ストラップの先端縁および前記甲側外皮の前記指領域の基端縁が内部開口を画定し、前記指開口は、前記甲側外皮の前記指領域の基端縁の先端側に位置される請求項４に記載のボールグローブ。
【請求項８】
前記甲側外皮は、該甲側外皮の前記指領域の基端縁と前記甲側外皮の前記指領域に形成される前記指開口との間に、人差し指スロットカバーを形成する請求項７に記載のボールグローブ。
【請求項９】
前記人差し指スロットカバーが折り曲げ片を備える請求項８に記載のボールグローブ。
【請求項１０】
前記人差し指区域において前記甲側外皮と前記掌側内皮との間にパッド材料を更に備える請求項１に記載のボールグローブ。
【請求項１１】
前記パッド材料は、前記掌側内皮とグローブの着用者の人差し指との間の空間を埋めるべく前記パット材料が瘤を形成するようにテーパ形状を有する請求項１０に記載のボールグローブ。
【請求項１２】
グローブの着用者の人差し指を固定するために前記人差し指区域で前記掌側内皮に人差し指リングを更に備える請求項１に記載のボールグローブ。
【請求項１３】
着用者の中指と位置合わせされる前記掌側内皮の前記指領域は、前記甲側外皮に形成される前記指開口から前記甲側内皮を貫通して延びるとともに、前記甲側外皮の後壁側に固定される請求項２に記載のボールグローブ。
【請求項１４】
ボールグローブであって、
前記グローブの前壁を形成する掌側外皮と、
手空洞部を確定するとともに、前記グローブの着用者の人差し指および親指とそれぞれ位置合わせするように構成される人差し指区域および親指区域を含む複数の指区域を備える指領域を形成するために、前記掌側外皮に結合されて前記グローブの後壁を形成する甲側外皮と、
前記人差し指区域と前記親指区域とに結合されるウェブと、
前記甲側外皮に固定される甲側内皮と、
中指区域と掌区域とを備える掌側内皮であって、前記掌区域が前記掌側外皮に対して実質的に固定されるとともに、前記掌側内皮の中指区域が、前記甲側外皮に形成される指開口から延びて、前記甲側外皮の後壁側に固定される、掌側内皮と、
を備えるボールグローブ。
【考案の詳細な説明】
【技術分野】
【０００１】
本考案は、一般に、野球、ソフトボール、および、他のスポーツのためのボールグローブに関する。特に、本考案は、着用者の指の正確な適合（フィット）および最適な位置を可能にするとともに強固な握持および制御を与える人差し指パッド構造を有するボールグローブに関する。
【背景技術】
【０００２】
ボールグローブは、グローブ内に捕えられるボールの衝撃から着用者を保護するようになっている。図５に示されるように、ボールグローブのボール衝撃域Ｘは、人差し指区域の基部に位置される。したがって、ボールグローブの着用者の人差し指は、グローブの親指と人差し指との間に設けられるウェブのみによってボールが捕えられなければ、ボールが捕えられるときに激しい衝撃を受ける。
【０００３】
長年にわたり、プレーヤーは、手空洞部内ではなくボールグローブの外側に人差し指を配置することによって手に作用する衝撃力を減らすことができることを見出した。したがって、プレーヤーにとっては、自分の人差し指を自分のグローブから延ばしてそれをボールグローブの後壁上（甲側外皮の上）に載置することはかなり一般的な方法である。これにより、投げられた或いは打たれた野球ボールまたはソフトボールを捕える際の衝撃を最小にする或いは回避するために、ボールグローブの甲側外皮は、人差し指とボールとの間に更なるパッド層としてあてがわれる。しかしながら、大部分のボールグローブの後面は、通常は滑らかな皮革から形成されており、人差し指に対して大きな静止摩擦または握持力を与えない。プレーヤーの人差し指が、ボールグローブの後面を横切るように滑ってスライドする場合があり、そのため、グローブに対する制御が低下し或いは無くなる場合がある。そのため、この方法は、手に作用するボールの衝撃を減らすことが難しいだけでなく、人差し指の位置を安定させることが難しいため、ボールグローブとしての性能も低下させる。
【０００４】
ボールグローブは、該ボールグローブの甲側外皮と掌側外皮とによって内部に形成される手空洞部の指領域に指を配置するようになっている。この指領域は、人差し指区域を含む複数の指区域を備える。図１に示すように、着用者の人差し指を指区域から外してその人差し指をボールグローブの後壁上に載置するには、人差し指を後方へかなり曲げる必要がある。また、着用者の人差し指は、指領域の基端縁にある結合チャネル１１０を横切って位置する。これは、着用者に対して不快感をもたらすだけでなく、ボールグローブ性能にも悪影響を及ぼす。
【０００５】
ボールグローブの他の重要な機能は、ボールを確保して解放するためにグローブを開閉できるその能力である。従来のグローブは、指区域での着用者の指の動きに応答するようになっている。しかしながら、図２および図３に示すように、着用者の指がグローブの後面上に載置されると、指がかなり曲げられ、それにより、人差し指が掌側内皮上（掌側内皮２００の上）で平らに横たわらず、その一方で、他の３つの指は掌側内皮２００の上で平らに横たわる。これにより、人差し指と掌側内皮２００のとの間に空間が形成される。着用者の人差し指と掌側内皮２００のとの間のこの空間は、掌側内皮２００のが固定されてボールが接触される掌側外皮と人差し指との間の適切な疎通（感触の伝達）を妨げる。
【０００６】
結果として、従来のグローブは、プレーヤーの人差し指が指区域から外される場合に、プレーヤーが求めている快適さおよびグローブに対する制御を与えない。
【０００７】
人差し指を指区域から外す方法に対応するべく、当該技術分野においてこれまでに選択された手法は、主に、図４に示すように、甲側外皮１００の後壁側に掌側内皮２００の人差し指区域２１０を設けることであった。しかしながら、この手法は、プレーヤーが人差し指を自分のグローブから延ばしてグローブの後壁上に載置することにより引き起こされる快適さの問題および制御の問題には対処できていない。
【０００８】
したがって、当該技術分野においては、グローブの性能を犠牲にすることなく着用者が人差し指を人差し指区域から快適に延ばすことができるようにするボールグローブの必要性がある。
【考案の概要】
【考案が解決しようとする課題】
【０００９】
前述の状況を考慮して、本考案の様々な実施形態は、着用者が人差し指を人差し指区域から延ばすことができるようにするとともに、強固な握持および制御のために着用者の指の正確な適合（フィット）、快適さ、および、最適な位置を与える、人差し指パッド構造を有するボールグローブを提供することである。
【課題を解決するための手段】
【００１０】
本考案によれば、ボールグローブは、グローブの前壁を形成する掌側外皮と、グローブの後壁を形成する甲側外皮とを備える。甲側外皮は、手空洞部を確定するとともに、グローブの着用者の人差し指および親指とそれぞれ位置合わせするように構成される人差し指区域および親指区域を含む複数の指区域を備える指領域を形成するために、掌側外皮に結合される。
【００１１】
人差し指区域および親指区域はウェブによって結合される。甲側内皮は甲側外皮に固定される。人差し指区域と掌区域とを備える掌側内皮は、掌側外皮に対して実質的に固定される。掌側内皮の掌区域は、掌側外皮に対して実質的に固定され、また、掌側内皮の人差し指区域は、甲側外皮に形成される指開口から甲側内皮を貫通して延在されて、甲側外皮の後壁側に固定される。
【００１２】
ボールグローブは先端部と基端部とを有する。甲側外皮と掌側外皮とによって画定される手空洞部は、着用者の手を挿入するための開口をボールグローブの基端部に有し、また、指領域がボールグローブの先端部に位置される。掌側内皮は、甲側外皮のそれぞれの指区域と位置合わせされる更なる指区域を更に備えてもよい。掌側内皮が１つの連続片であってもよい。グローブの着用者の人差し指を固定するために、掌側内皮は、人差し指区域において掌側内皮上に人差し指リングを更に備えてもよい。
【００１３】
掌側内皮の人差し指区域の代わりに、着用者の中指と位置合わせされる掌側内皮の他の指区域が、甲側外皮に形成される指開口から甲側内皮を貫通して延在されて、甲側外皮の後壁側に固定されてもよい。
【００１４】
ボールグローブは、人差し指区域で、甲側外皮と掌側内皮との間にパッド材料を更に備えてもよい。パッド材料は矩形立方体形状を有する。また、パッド材料は、掌側内皮とグローブの着用者の人差し指との間の空間を満たすべくパッド材料が瘤を形成するように、長手方向断面で三角形状を有してもよい。
【００１５】
実施形態の１つにおいて、甲側外皮は、親指区域から延びるストラップを更に備えてもよい。ストラップの先端縁および甲側外皮の指領域の基端縁が内部開口を画定する。掌側内皮の人差し指区域は、内部開口から延びて甲側外皮の後壁に固定される。
【００１６】
他の実施形態において、甲側外皮は、親指区域から延びるストラップを更に備えてもよい。ストラップの先端縁および甲側外皮の指領域の基端縁が内部開口を画定する。掌側内皮の人差し指区域は、甲側外皮の指領域に形成される指開口から延びる。甲側外皮の指領域に形成される指開口はスリット孔であってもよい。指開口は、甲側外皮の指領域の基端縁の先端側に位置され、また、甲側外皮は、該甲側外皮の指領域の基端縁と甲側外皮の指領域に形成される指開口との間に、人差し指スロットカバーを形成する。人差し指スロットカバーは、着用者の人差し指が甲側外皮を横切るように滑ってスライドするのを防止する。また、人差し指スロットカバーは、より清浄な仕上がりのため、および、指開口も安定させるために、折り曲げ片を更に備えてもよい。
【００１７】
前述した及び他の目的および利点は、以下の説明から明らかになる。以下の説明では、その一部を形成する添付図面が参照され、添付図面には、本考案の実施形態が例示される。これらの実施形態は、当業者が本考案を実施できるように十分詳しく説明され、また、言うまでもなく、他の実施形態が利用されてもよく、また、本考案の範囲から逸脱することなく、構造的な変更がなされてもよい。したがって、添付図面は、単に本考案の好ましい例示を示すものである。そのため、以下の詳細な説明は、限定的な意味に解釈されるべきでなく、また、本考案の範囲は、添付の実用新案登録請求の範囲によって最善に規定されるべきものである。
【００１８】
ここで、本考案の特定の実施形態を例示として示す添付図面を参照する。図示の実施形態は、本考案の単なる実施例にすぎず、本考案の範囲を限定するものではない。
【図面の簡単な説明】
【００１９】
【図１】人差し指位置を示す従来のグローブの側面図である。
【図２】従来のグローブの人差し指と掌側内皮との間の空間を示す。
【図３】従来のグローブの人差し指と掌側内皮との間の空間を示す。
【図４】従来のグローブの後壁側に貼り付けられる掌側内皮の人差し指区域を示す。
【図５】本考案の一実施形態に係る開放位置にあるボールグローブの正面斜視図である。
【図６Ａ】本考案の一実施形態に係るボールグローブの背面斜視図である。
【図６Ｂ】本考案の他の実施形態に係るボールグローブの背面斜視図である。
【図７】本考案の一実施形態に係る着用者の手と掌側内皮との間の位置関係を示す。
【図８】本考案の一実施形態に係る人差し指構成を示す。
【図９】本考案の他の実施形態に係る人差し指構成を示す。
【図１０】図９の線Ａ−Ａに沿った断面図を示す。
【図１１Ａ】人差し指パッド材料の構造を示す。
【図１１Ｂ】人差し指パッド材料の構造を示す。
【図１２】人差し指リングを有する掌側内皮を示す。
【図１３】本考案の実施形態の１つに係るボールグローブの背面斜視図である。
【考案を実施するための形態】
【００２０】
以下、添付図面に示される好ましい実施形態によって本考案のボールグローブについて詳しく説明する。別段に規定さるものを除き、本明細書中で使用される全ての技術用語および科学用語は、当業者により一般に理解される意味と同じ意味を有する。本考案の以下の詳細な説明では、本考案の一貫した理解を与えるために、多数の特定の詳細な実施形態が記載される。しかしながら、当業者に明らかなように、本考案は、これらの特定の詳細を伴わずに実施されてもよい。他の場合には、本考案の態様を不必要に曖昧にしないように、良く知られた方法、手続き、構成要素、および、機構については、詳細な説明を省略する。
【００２１】
図５、図６Ａ、および、図６Ｂは、本考案の一実施形態に係るボールグローブ１の正面斜視図および背面斜視図をそれぞれ示す。図６Ａはファーストバッグスタイルを示し、また、図６Ｂはレギュラースタイルを示す。これらの図は、左手用グローブの状態で示される。しかしながら、本考案は、左手用グローブに限定されない。右手用グローブは左手用グローブとほぼ同一である。ボールグローブ１は先端部と基端部とを有する。甲側外皮６と掌側外皮２とによって画定される手空洞部は、着用者の手を挿入するための手空洞部用の開口２４をボールグローブ１の基端部に有し、また、指領域１０がボールグローブ１の先端部に位置される。
【００２２】
ボールグローブ１は、前壁４を形成する掌側外皮２と、ボールグローブ１の後壁８を形成する甲側外皮６とを備える。甲側外皮６は、掌側外皮２に結合されて、手空洞部（手指が挿入される空間部）を確定するとともに、グローブの着用者の人差し指および親指とそれぞれ位置合わせするように構成される人差し指区域１２および親指区域２０を含む複数の指区域１４，１６，１８を備える指領域１０を形成する。人差し指区域１２および親指区域２０は、ウェブ２２と結合される。甲側外皮６は指開口３０を更に備えてもよい。掌側外皮２、甲側外皮６、および、ウェブ２２は、天然であろうと或いは合成であろうと、当該技術分野において知られる任意の適した１または複数の材料から形成することができ、そのような材料としては、ゴム、皮革、または、合成皮革、好ましくは牛皮革が挙げられるが、これらに限定されない。
【００２３】
甲側内皮４６（図示せず）が甲側外皮６の裏面側に固定される。人差し指区域３８と掌区域３６とを備える掌側内皮３４（図７参照）が掌側外皮６に固定される。掌側内皮３４は、甲側外皮６のそれぞれの指区域１４，１６，１８と位置合わせされる更なる指区域４０，４２，４４を更に備えてもよい（図９参照）。掌側内皮３４が１つの連続片であってもよい。掌側内皮３４の掌区域３６は、掌側外皮２に対して実質的に固定される。しかしながら、従来のボールグローブとは異なり、図７に示されるように、本考案の掌側内皮３４の人差し指区域３８は、甲側外皮６に形成される指開口３０から甲側内皮４６を貫通して延在されて、甲側外皮６の後壁側に固定される。甲側内皮４６および掌側内皮３４は、天然であろうと或いは合成であろうと、当該技術分野において知られる任意の適した１または複数の材料から形成することができ、そのような材料としては、ゴム、皮革、または、合成皮革、好ましくは牛皮革または豚皮が挙げられるが、これらに限定されない。より好ましくは、着用者の人差し指に対して静止摩擦または握持性を与えるべく粘着材料または滑り止め材料が掌側内皮３４のために使用される。
【００２４】
図１および図３に示すように、従来のグローブを用いると、プレーヤーが自分の人差し指を自分のグローブから延ばしてそれをグローブの後壁上に載置するときに、人差し指は、後方へかなり曲げられて、通常は結合チャネル１１０により覆われる指領域の縁部に触れている。このようにすると、人差し指位置を安定させることが困難であるとともに、人差し指の曲げ姿勢によってだけでなく、凹凸の多い結合チャネル１１０に触れることによっても、不快感をもたらす。一方、図７に示すように、本考案の掌側内皮３４の人差し指区域３８は、着用者の人差し指に自然に付き添う形になり、結合チャネル１１０に触れる不快感を防止する。
【００２５】
また、図２および図３に示すように、従来のグローブを用いると、着用者の人差し指と掌側内皮２００との間に空間が形成されるが、実用新案登録請求の範囲に記載されるボールグローブ１の着用者の人差し指は、掌側内皮３４の人差し指区域３８に接触したままである。したがって、実用新案登録請求の範囲に記載されるボールグローブ１は、人差し指と掌側外皮２との間の適切な疎通（捕球感触の伝達）を達成できるように人差し指の動きに即座に対応する。
【００２６】
図８は、本考案の実施形態の１つを示す。甲側外皮６は、親指区域２０から延びるストラップ２６を更に備える。ストラップ２６の先端縁２６ａおよび甲側外皮６の指領域１０の基端縁１０ａは、内部開口２８を画定する。掌側内皮３４の人差し指区域３８は、内部開口２８から延びて、甲側外皮６の後壁側に固定される。この形態では、後述の指開口３０が形成されない。
【００２７】
図９は、本考案の他の実施形態を示す。甲側外皮６は、親指区域２０から延びるストラップ２６を更に備える。ストラップ２６の先端縁２６ａおよび甲側外皮６の指領域１０の基端縁１０ａは、内部開口２８を画定する。指開口３０は、甲側外皮６の指領域１０に形成され、より具体的には、甲側外皮６の指領域１０の基端縁１０ａの先端側（指先側）に形成される。甲側外皮６の指領域１０に形成される指開口３０は、スリット孔であってもよい。
【００２８】
甲側外皮６は、甲側外皮６の指領域１０の基端縁１０ａと甲側外皮６の指領域１０に形成される指開口３０との間に、人差し指スロットカバー３２を形成する。掌側内皮３４の人差し指区域３８は、甲側外皮６の指領域１０に形成される指開口３０から延びる。人差し指スロットカバー３２は、人差し指姿勢を安定させて、保護を与える。図１０に示されるように、人差し指スロットカバー３２は、より清浄な仕上がりのため、および、指開口３０を安定させるために、折り曲げ片４８を更に備えてもよい。数字５４は結合チャネルを示す。
【００２９】
図１０に示されるように、ボールグローブ１は、人差し指区域１２で、甲側外皮６と掌側内皮３４との間にパッド材料５０を更に備えてもよい。パッド材料５０は、ウレタンなどの任意の発泡体であってもよい。パッド材料５０は、矩形立方体形状を成すことができる。パッド材料５０は、図１１Ａに示すように掌側内皮３４とボールグローブ１の着用者の人差し指との間に空間を残さずに密接な適合を与える瘤をパッド材料５０が形成するように、長手方向断面で三角形状を有するテーパ形状を成すことが好ましい。パッド材料５０のサイズは、限定されないが、好ましくは、図１１Ｂに示されるように、１０ｍｍの最大高さＨおよび５ｍｍの最小高さｈである。図１０はスロットカバー３２を有する実施形態を提案するが、パッド材料５０はスロットカバー３２を伴わない実施形態にも適用できる。
【００３０】
図１２に示すように、グローブの着用者の人差し指を固定するために、掌側内皮３４は、掌側内皮３４の人差し指区域３８で、掌側内皮３４上に人差し指リング５２を更に備えてもよい。人差し指リング５２は、天然であろうと或いは合成であろうと、当該技術分野において知られる任意の適した材料から形成することができ、そのような材料としては、織物、皮革、または、合成皮革、好ましくはゴムなどの弾性材料が挙げられるが、これらに限定されない。人差し指リング５２は、着用者の人差し指の位置を固定する。
【００３１】
更に図１３に示すように、掌側内皮３４の人差し指区域の代わりに、着用者の中指と位置合わせされる掌側内皮３４の他の指区域が、甲側外皮６に形成される指開口３０から甲側内皮を貫通して延在されて、甲側外皮６の後壁側に固定されてもよい。
【００３２】
従って、本実施形態は主として人差し指をボールグローブの後壁上に載置する場合について説明し、そのための具体的な実施形態を説明したが、中指をボールグローブの後壁上に載置する場合についても、人差し指の場合と同じような構成を採用することができる。
【００３３】
本明細書中に記載される本考案の多くの改変および他の実施形態は、前述の説明および関連図面で与えられる同様の効果を有するこれらの考案が属する技術分野の当業者に想起し得る。したがって、本考案が開示された実施形態の特定の例に限定されず、また、改変および他の実施形態が添付の実用新案登録請求の範囲内に含まれるように意図されることが理解されるべきである。本明細書中で特定の用語が使用されるが、これらの用語は、単に一般的で記述的な意味で使用されているにすぎず、考案を限定する目的ではない。
【符号の説明】
【００３４】
１        ボールグローブ
２        掌側外皮
４        前壁
６        甲側外皮
８        後壁
１０      指領域
１０ａ    基端縁
１２      人差し指区域
２０      親指区域
２２      ウェブ
２４      開口
２６      ストラップ
２６ａ    先端縁
３０      指開口
３２      人差し指スロットカバー
３４      掌側内皮
３６      掌区域
３８      人差し指区域
５０      パッド材料
５２      人差し指リング
５４      結合チャネル
【図１】
0003195549.tif 000003
【図２】
0003195549.tif 000004
【図３】
0003195549.tif 000005
【図４】
0003195549.tif 000006
【図５】
0003195549.tif 000007
【図６Ａ】
0003195549.tif 000008
【図６Ｂ】
0003195549.tif 000009
【図７】
0003195549.tif 000010
【図８】
0003195549.tif 000011
【図９】
0003195549.tif 000012
【図１０】
0003195549.tif 000013
【図１１Ａ】
0003195549.tif 000014
【図１１Ｂ】
0003195549.tif 000015
【図１２】
0003195549.tif 000016
【図１３】
0003195549.tif 000017
【手続補正書】
【提出日】平成26年11月17日(2014.11.17)
【手続補正１】
【補正対象書類名】実用新案登録請求の範囲
【補正対象項目名】請求項６
【補正方法】変更
【補正の内容】
【請求項６】
前記甲側外皮が前記親指区域から延びるストラップを更に備え、前記ストラップの先端縁および前記甲側外皮の前記指領域の基端縁が内部開口を画定し、前記人差し指区域の前記掌側内皮は、前記内部開口から延びて、前記甲側外皮の後壁側に固定される請求項１〜５のいずれか１項に記載のボールグローブ。